(57)【要約】【課題】  映像情報を情報記憶装置から連続的に読み出して再生するとき、電源断が生じ、かつ復旧したときに、どのファイル内のどの位置から再生を再開するかを決定することのできる映像再生装置を提供する。【解決手段】  再生情報記憶装置４は、不揮発性のメモリであり、再生装置３にて再生された再生済み映像情報に関する補助情報である再生情報を記憶する。再生情報としては、再生していたファイルを示すファイル名、再生していた区切り区間を示すフレーム番号がある。また、転送量、再生済みバイト数や、フレーム数などの情報である。再生装置３は、再生情報記憶部４に記憶された上記再生情報から、上記各ファイルの内部で上記映像情報を区切るために付された複数のオフセット情報を参照し、映像情報の再生再開位置を決定する。【選択図】  図１
2006311325.tif 000002
【特許請求の範囲】
【請求項１】
多人数の視聴者が視聴する環境下にあって表示部に表示される再生映像を、上記表示部に伝送するために再生する映像再生装置において、
少なくとも一つのタイトルの映像情報を相互に異なるデータ量の複数ファイルにより記憶している情報記憶部と、
上記情報記憶部に上記複数ファイルで記憶されている映像情報を再生する再生部と、
上記再生部で再生された再生済み映像情報に関する補助情報である再生情報を記憶する再生情報記憶部とを備え、
上記再生部は、上記再生情報記憶部に記憶された上記再生情報から、上記各ファイルの内部で上記映像情報を区切るために付された複数のオフセット情報を参照し、映像情報の再生再開位置を決定する
ことを特徴とする映像再生装置。
【請求項２】
上記再生部は、上記再生情報として、再生していたファイルを示すファイル名、再生していた区切り区間を示すフレーム番号を上記再生情報記憶部から読み出し、これらファイル名、フレーム番号に基づいて上記オフセット情報を得、映像情報の再生再開位置を決定することを特徴とする請求項１記載の映像再生装置。
【請求項３】
上記再生部は、上記オフセット情報を切り下げることによって至った映像情報のフレームの先頭を映像情報の再生再開位置に決定することを特徴とする請求項２記載の映像再生装置。
【請求項４】
上記再生部は、レジューム再生を行うときに、上記再生情報記憶部から読み出したカレントリール番号に基づいてファイルを開き、同じく上記再生情報記憶部から読み出した転送量から、上記各ファイルの内部で上記映像情報を区切るために付された複数のオフセット情報を参照し、レジューム再生をするのに必要な量だけシークを行ってから映像情報の再生を行うことを特徴とする請求項１記載の映像再生装置。
【請求項５】
上記再生情報として、自動復帰を行うか否かを設定する自動復帰に関するユーザ設定情報があり、このユーザ設定情報にて自動復帰が指定されているとき、上記再生部はレジューム再生を行うことを特徴とする請求項４記載の映像再生装置。
【請求項６】
上記再生情報として自動復帰を行うか否かを設定する自動復帰に関するユーザ設定情報があり、このユーザ設定情報にて自動復帰が指定されていないとき、上記再生部は外部に接続された再生操作装置の制御に基づいて再生を再開することを特徴とする請求項１記載の映像再生装置。
【請求項７】
上記再生部は上記再生情報を上記再生操作部に通知し、上記再生操作部は上記再生情報に基づいて即時再開が可能であるか否かを判断し、即時再開が可能であれば上記再生部に上記レジューム再生を行わせ、即時再開が不可能であれば上記再生部に途中再生処理を行わせることを特徴とする請求項１記載の映像再生装置。
【請求項８】
上記途中再生処理は、上記再生操作部から通知された、再生開始位置、コンテンツ情報に基づいて、上記再生部が上記再生操作部に応答を返し、かつステータス情報を通知しながら行うことを特徴とする請求項７記載の映像再生装置。
【発明の詳細な説明】
【技術分野】
【０００１】
本発明は、映画館のような多人数が視聴するような環境下において、映像情報を情報記憶装置から連続的に読み出して再生し、表示装置に伝送する映像再生装置に関する。
【背景技術】
【０００２】
デジタルコンテンツ化されて配送、またはネットワーク等を通して配信された映画用のデジタル映像情報を例えばアレイ構成の複数のＨＤＤからなる大容量の情報記憶装置に記録し、この大容量情報記憶装置から連続的にデジタル映像情報を読み出して映像再生装置にて再生し、反射型プロジェクタ又は透過型プロジェクタに供給し、これらプロジェクタによってスクリーンに投影する、デジタルシネマが注目されている。
【０００３】
また、下記特許文献１に記載されているように、複数の上映システムにデジタルデータ化された映画を配信するようなシステムも必要となり、一般的には、ＬＡＮで各上映システム間を接続し、各上映システムを構成する映像／オーディオ設備、照明などの館内設備などもＬＡＮによって接続するデジタルシネマシステムも考えられている。
【０００４】
ところで、フィルムによって映画を上映する従来型の映画館にあっては、約２時間分の映像情報をフィルム一巻だけに収納して映写機にセットしているのではなく、ハンドリングを容易にするため、リールと呼ばれる、例えば１０分、又は２０分などの時間毎にストーリ展開に適応して分け、これらの複数のリールを映写機にセットして映画を上映している。
【０００５】
映画上映中に不慮の電源断のような事故が発生し、それが復旧した後には、上記リール内におけるフィルムの再生済みの次の位置付近からフィルムを回して上映を続行することができる。
【０００６】
また、個人用のデジタルコンテンツ再生装置においては、レジューム再生時に既に再生済みの箇所の次の地点から再生を再開している。また、ディスク再生装置等にあっては、光ディスクのＩＤを保持しており、異なるディスクが挿入された後、上記ＩＤが既に保持されている光ディスクが挿入されたときには、異なるディスクを挿入する前の再生箇所から再生を再開することができる。
【０００７】
また、同様に個人用のデジタルコンテンツ再生装置においては、再生再開地点と以前に見た日時を関連付けることができる。また、直前のシーンから再生を再開することができる。
【０００８】
【特許文献１】特開２００３−２４４６７４号公報
【発明の開示】
【発明が解決しようとする課題】
【０００９】
しかし、上述した従来の技術は、デジタルシネマにおける非常時の電源断には対応することができない。デジタルシネマにあっても、映像情報の転送単位は、やはりハンドリングを容易にするためにリールと呼ばれる、相互に異なるデータ量のファイル単位である。このため、電源断が復旧したときに、どのファイル内のどの位置から再生を再開するかを決定するには上記従来の技術だけでは対応できない。
【００１０】
本発明は、上記実情に鑑みてなされたものであり、電源断が復旧したときに、どのファイル内のどの位置から再生を再開するかを決定することのできる映像再生装置の提供を目的とする。
【課題を解決するための手段】
【００１１】
本発明に係る映像再生装置は、上記課題を解決するために、少なくとも一つのタイトルの映像情報を相互に異なるデータ量の複数ファイルにより記憶している情報記憶部と、情報記憶部に複数ファイルで記憶されている映像情報を再生する再生部と、再生部で再生された再生済み映像情報に関する補助情報である再生情報を記憶する再生情報記憶部とを備え、多人数の視聴者が視聴する環境下にあって表示部に表示される再生映像を、表示部に伝送するために再生する。
【００１２】
この映像再生装置にあって再生部は、再生情報記憶部に記憶された再生情報から、各ファイルの内部で映像情報を区切るために付された複数のオフセット情報を参照し、映像情報の再生再開位置を決定する。
【００１３】
この映像再生装置にあって再生部は、再生情報として再生していたファイルを示すファイル名、再生していた区切り区間を示すフレーム番号を再生情報記憶部から読み出し、これらファイル名、フレーム番号に基づいてオフセット情報を得、映像情報の再生再開位置を決定するのが好ましい。また、再生部は、上記オフセット情報を切り下げることによって至った映像情報のフレームの先頭を映像情報の再生再開位置に決定することが好ましい。
【００１４】
また、上記再生部は、レジューム再生を行うときに、上記再生情報記憶部から読み出したカレントリール番号に基づいてファイルを開き、同じく上記再生情報記憶部から読み出した転送量から、上記各ファイルの内部で上記映像情報を区切るために付された複数のオフセット情報を参照し、レジューム再生をするのに必要な量だけシークを行ってから映像情報の再生を行う。
【００１５】
また、上記再生情報として自動復帰を行うか否かを設定する自動設定に関するユーザ設定情報があり、このユーザ設定情報にて自動復帰が指定されているとき、上記再生部はレジューム再生を行う。
【００１６】
また、上記再生情報として自動復帰を行うか否かを設定する自動設定に関するユーザ設定情報があり、このユーザ設定情報にて自動復帰が指定されていないとき、上記再生部は外部に接続された再生操作装置の制御に基づいて再生の再開を行う。
【００１７】
また、上記再生部は上記再生情報を上記再生操作部に通知し、上記再生操作部は上記再生情報に基づいて即時再開が可能であるか否かを判断し、即時再開が可能であれば上記再生部に上記レジューム再生を行わせ、即時再開が不可能であれば上記再生部に途中再生処理を行わせる。
【００１８】
また、上記途中再生処理は、上記再生操作部から通知された、再生開始位置、コンテンツ情報に基づいて、上記再生部が上記再生操作部に応答を返し、かつステータス情報を通知しながら行う。
【発明の効果】
【００１９】
本発明に係る映像再生装置は、再生情報記憶部に記憶された再生情報から、各ファイルの内部で映像情報を区切るために付された複数のオフセット情報を参照するので、電源断が復旧したときに、どのファイル内のどの位置から再生を再開するかを決定することができる。
【発明を実施するための最良の形態】
【００２０】
以下、本発明を実施するための最良の形態を説明する。この実施の形態は、映画館のような多人数が視聴するような環境下において、映像情報を情報記憶装置から連続的に読み出して再生し、再生した映像をプロジェクタによりスクリーンに投影する映像再生装置であり、特に、デジタル映像情報を扱う映像再生装置である。
【００２１】
図１に示すように、デジタル映像再生装置１にあって、再生装置３には、表示装置２と、再生情報記憶装置４と、情報記憶装置５と、再生操作装置６が接続している。大容量の情報記憶装置５は、デジタルコンテンツ化されて配送、またはネットワーク等を通して配信された映画用のデジタル映像情報を記録する。再生装置３は、大容量情報記憶装置５から連続的にデジタル映像情報を読み出して再生し、反射型プロジェクタ又は透過型プロジェクタ等の表示装置２に供給する。表示装置２は、再生された映像を図示しないスクリーンに投影する。
【００２２】
情報記憶装置５は、例えば、アレイ構成の複数のハードディスクドライブ（ＨＤＤ）からなり、コンテンツである暗号化されたデジタル映像情報を記録している。特に、情報記憶装置５は、デジタル映像情報を相互に異なるデータ量の複数ファイルとして記憶している。ひとつのファイルは、リールと呼ばれる分割単位に格納されている。よって、各リールは、データ量が一定ではない。シーンなどによって異なる。
【００２３】
再生装置３は、後述するように暗号化されて情報記憶装置５に記録されているリール単位のデジタル映像情報の暗号化を解き、またデコードする。また、再生装置３は、再生情報記憶部４に記憶された上記再生情報から、上記各ファイルの内部で上記映像情報を区切るために付された複数のオフセット情報を参照し、映像情報の再生再開位置を決定する。
【００２４】
再生情報記憶装置４は、不揮発性のメモリであり、再生装置３にて再生された再生済み映像情報に関する補助情報である再生情報を記憶する。再生情報としては、詳細は後述するが、再生していたファイルを示すファイル名、再生していた区切り区間を示すフレーム番号がある。また、転送量、再生済みバイト数や、フレーム数などの情報である。
【００２５】
再生操作装置６は、ＣＰＵにバスを介してＲＯＭ，ＲＡＭ，入出力Ｉ／Ｆ、通信Ｉ／Ｆ等を接続したコンピュータであり、デジタル映像再生装置１の動作を制御する。
【００２６】
なお、情報記憶装置５と再生操作装置６は、後述するように再生装置３とネットワークを経由して接続してもよい。
【００２７】
図２はリール（Reel）の概念を示す図である。ある一つのコンテンツ１０があるとして、それらが連続して複数のファイルにまたがるような場合、それらの個々のファイルをリールとして定義する。コンテンツが単一のファイルからなる場合においては、１コンテンツ＝１リールとなる。オーディオ情報、映像情報で別ファイルの場合は、１リールに対してオーディオ用のリールと映像用のリールがあるものとする。その他の場合として、メタデータ（Meta Data）情報や、字幕情報が別ファイルとして存在する場合は、それらを含めて１リールとする。
【００２８】
１リールとして示されるファイルの中には、複数のフレームが収納されている。このため、電源断が復旧したときに、どのファイル内のどのフレームを再生中であり、どのフレームから再生を再開するかを決定しなければならない。
【００２９】
そこで、このデジタル映像再生装置１において、再生装置３は、上記再生情報として再生していたファイルを示すファイル名、再生していた区切り区間を示すフレーム番号を上記再生情報記憶部４から読み出し、これらファイル名、フレーム番号に基づいてオフセット情報を得、映像情報の再生再開位置を決定する
任意のフレームを特定するため、このデジタル映像再生装置１は、図３に示すようなフレームテーブル１１を保持している。テーブル１１では、フレーム番号１２とそのフレームのオフセット情報１３が保持される。オフセット情報１３は、リールに付加されている情報であり、ヘッダを参照することによりその格納場所が分かるようにされている。
【００３０】
図３の例において、フレーム番号１２としては、１，２，３，４，５・・・があり、各フレーム番号１２に対応してオフセット情報１３が０，１５０，５００，７００，１０００・・・のように記憶されている。フレーム番号１２が１であるとき、オフセット情報は０である。フレーム番号１２が２であるときオフセット情報は１５０である。よって、フレーム番号１２が１であるフレームは、０〜１４９バイトのデータを有することがわかる。また、フレーム番号１２が３であるときオフセット情報は５００である。よって、フレーム番号１２が２であるフレームは、１５０〜４９９バイトのデータを有することになる。また、フレーム番号１２が４であるときオフセット情報は７００である。よって、フレーム番号が３であるフレームは、５００〜６９９バイトのデータを有する。また、フレーム番号１２が５であるときオフセット情報は１０００である。よって、フレーム番号が４であるフレームは、７００〜９９９バイトのデータを有する。
【００３１】
ここで、オフセット情報１３は、リールであるファイル内の映像情報を区切るために付された情報である。ここでは、この区切る単位をフレームと称している。
【００３２】
ただし、フレーム数が増大して単一のテーブルに保持できない場合は、テーブルを分割して保持する。これにより、フレーム番号１１から任意のフレームへのオフセットを得ることが可能となる。
【００３３】
このテーブル情報を用いたオフセット計算処理のフローを図４に示す。最初に、上記再生情報として読み出した対象Reelとそのフレーム番号を指定する（ステップＳ１）。その後、対象ファイルをオープンし（ステップＳ２）、テーブルへのオフセットを計算する（ステップＳ３）。次に、オフセットに基づいてテーブルへシークする（ステップＳ４）。その後、テーブルを参照し（ステップＳ５）、フレーム番号から該当フレームへのオフセットを得る（ステップＳ６）。例えば、リールが３つあり、２リール目の１００フレームは、全体の何フレームかを判断することができる。
【００３４】
ここで、テーブルはコンテンツファイル内に保持されているものとしているが、テーブルが別ファイルとして存在していても問題ない。その場合は、テーブルへのオフセットを得る（ステップＳ３）、テーブルへSeekする（ステップＳ４）、これらの処理が省かれ、テーブルが保存されているファイルをオープンする必要がある。
【００３５】
次に図５を参照してデジタル映像再生装置１における映像情報の通常の再生処理手順について説明する。操作として再生（Play）, 停止（Stop）,一時停止（Pause）を想定しているが、その他早送り、巻き戻し処理をいれても同様である。まず、ステップＳ１１にて外部に接続されている再生操作装置６から信号（signal）が入ったと判断し、その信号が再生開始を指示する信号であるときには、ステップＳ１２の再生動作に進む。再生操作装置６からは、再生命令にあわせて、どのコンテンツを再生するかのコンテンツＩＤ等の情報（コンテンツを一意に決定可能な情報）も送られ、それを受信することにより、再生装置３では再生を開始する（ステップＳ１２）。
【００３６】
再生装置３は、再生開始信号を受信すると、該当コンテンツを、ローカルの情報記憶装置５から読み込み始め、後述するデクリプトや復号処理を順次行う（ステップＳ１３）。このステップＳ１３におけるコンテンツの読み込みは、上記図２に示した一つのファイルに対応する一つのリールの全てを読み込むのではなく、一つのリールから例えば３２Ｍバイト、６４Ｍバイト又は１２８Ｍバイトという単位でデータを切り出して読み込むものである。ステップＳ１４にあって、一つのリールを全て読み込んだか否かをチェックし、未だ読み込んでいる途中（ＮＯ）であれば、ステップＳ１５に進む。ステップＳ１５では、ステップＳ１３にて読み込んだデータをデバイスに転送するタイミングで、上記再生情報である、転送量や現在のReel情報等を再生情報記憶装置４に書き込み、保持しておく。上記再生済み映像に関する補助情報である再生情報としては、どのリールが再生中であったか、どれくらい転送されていたか、どれくらいのフレーム数転送したかを示す情報が挙げられる。例えば、ファイル名、転送量、カレントリール番号、ユーザ設定値などである。ユーザ設定値は、後述するレジューム再生時にどれだけ戻るか、何フレーム戻るかなどを規定する値である。
【００３７】
ステップＳ１２〜ステップＳ１５までの処理は、ステップＳ１４にて一つのリール全てを読み込んだと判断するまで繰り返される。よって、一度ステップＳ１２にて再生を開始したときには、ステップＳ１１にて再生操作装置６から他のモードへの変更を指示するシグナルが来ないか、あるいはコンテンツを全て再生しない限り、再生動作へ抜けるものとする。つまり、停止（Stop）や一時停止（Pause）シグナルが来るか、コンテンツの最後まで再生完了する以外は、ループの再生（Play）を何度も周り続けるものとする。
【００３８】
ステップＳ１４にて現在再生していた一つのリールの再生が終了したと判断すると、ステップＳ１６に進み、現在再生終了したのが最終リールであるか否かをチェックする。再生リールでなければ（ＮＯ）、ステップＳ１７に進み、再生情報記憶装置４へ変更したリール情報を書き込む。ステップＳ１６にて最終リールである（ＹＥＳ）と判断すると、この通常再生の処理手順を終了する。再生装置３が通常再生処理を行うとき、単純にコンテンツをフレーム単位で転送可能であればフレーム番号を再生情報記憶装置４に書き込んで、保持すればよい。しかし、それができない環境では、上記映像に関する再生済み情報として、転送量を保持しておく。
【００３９】
また、ステップＳ１１にて再生操作装置６から停止シグナルが送信されてきて、受信したと判断すると、ステップＳ１８に停止処理に入る。ステップＳ１９にて、再生装置３内部の各構成部にストップ命令を出す。同様に、ステップＳ１１にて再生操作装置６から一時停止シグナルが送信されてきて、受信したと判断すると、ステップＳ２０に一時停止処理に入る。ステップＳ２１にて、再生装置３内部の各構成部に一時停止命令を出す。
【００４０】
次に、図６を参照してリジューム（レジューム）再生について説明する。ここで、レジューム再生とは、突然の電源断等により、再生装置３自体の電源供給が行えなくなったあとに、再生装置３を再起動し、再生を再開することをさす。つまり、通常の停止やシャットダウンの措置を得ていない場合のことを指す。この処理では、先に説明した通常再生フローにおいて、再生情報記憶装置４に書き込まれた再生情報（再生済み映像情報に関する補助情報）を用いる。その再生情報として、上述したファイル名、対象Reel番号、転送量（フレーム数）、ユーザ設定値などの情報が保持されているものとする。ユーザ設定値は、再起動時に再生操作装置からの信号を得ることなしに再生を自動的に再開するのか否かの設定値、再生を自動で再開する場合は、どの程度さかのぼって再生を再開するのかの値のことをさす。
【００４１】
先ず、再生装置３は、ステップＳ３１にて、再生情報記憶装置４から上記映像に関する再生済み映像情報に関する補助情報（再生情報）のデータを得る。ステップＳ３２にてカレントリール番号に基づいてファイルを開く。ステップＳ３３にて、上記図３に示したフレームテーブル１１を参照し、上記再生済み映像情報に関する補助情報の転送量から、レジューム再生をするのに必要量だけシークを行う。つまり、上記転送量から図３のフレームテーブル１１を参照し、電源停止直前のデータ量だけシークする。このときのオフセット計算処理は、図４を参照して既に説明したとおりである。
【００４２】
例えば、現在リール２のフレーム番号４を再生しているときに、突然の電源断等により、再生装置３自体の電源供給が行えなくなったあとに、再生装置３を再起動し、再生を再開したとする。このとき、再生装置３は、再生情報記憶装置４に上記再生済み映像情報に関する保存情報として、カレントリール番号２、転送量７２０バイトを書き込み済みであった。また、ユーザ設定値として、現在再生していたフレームの先頭に戻ると設定されているとする。
【００４３】
上記図４に示したオフセット計算処理にしたがって、ステップＳ１にて対象Reel（リール番号２）とそのフレーム番号（フレーム番号４）を指定する。その後、対象ファイルをオープンし（ステップＳ２）、テーブルへのオフセットを計算する（ステップＳ３）。次に、オフセットに基づいてテーブルへシークする（ステップＳ４）。その後、テーブルを参照し（ステップＳ５）、フレーム番号（４）から該当フレームへのオフセット「７００」を得る（ステップＳ６）。
【００４４】
以上の処理手順により、図６のステップＳ３３にあって、再生装置３は、「７００」バイトだけシークし、フレーム番号４の先頭から、ステップＳ３４にて通常再生を行う。
【００４５】
このように、フレーム数からオフセットを計算するには、テーブルを単純に参照し、転送量からオフセットを計算する場合は、転送量を超えない最大のオフセット情報をその値とすることで、該当フレームから再生を再開することが可能となる。
【００４６】
上述したように、ユーザ設定値は、再起動時に再生操作装置からの信号を得ることなしに再生を自動的に再開するのか否かの設定値、再生を自動で再開する場合は、どの程度さかのぼって再生を再開するのかの値のことをさすのであるが、自動再生開始を行わない場合は、次に説明する途中再生フローに従う。
【００４７】
図７は、ユーザ設定値が自動再生開始を行うと設定されているときと、行わないと設定されているときの再開処理手順を示す。突然の電源断等により、再生装置３自体の電源供給が行えなくなったあとに、電源がオンとなって、再生装置３を再起動し、再生を再開する。ステップＳ４１にて、再生情報記憶装置４から上記映像に関する再生済み映像情報に関する補助情報のデータを得る。ステップＳ４２にて上記ユーザ設定にしたがって自動復帰を行わないと判断したときはステップＳ４４に進む。ステップＳ４２における自動復帰を行うか行わないかという判断は、再生操作装置６の介在を許すか許さないかを決める判断でもある。自動復帰を行わないのであれば、再生操作装置６の介在を許可し、再生操作装置６の制御によって再生の再開を行うことになる。このため、ステップＳ４４にて再生操作装置６へ、上記再生済み映像情報に関する補助情報を通知する。この場合、どのリールを転送中であり、転送量はどれくらいか等の情報である。ステップＳ４５にて再生操作装置６が即時再開が可能であるか否かをチェックし、即時再開が可能であれば、ステップＳ４３に進み、図６を参照して説明したレジューム再生処理に移行する。一方、ステップＳ４５にて再生操作装置６が即時再開が可能でない（ＮＯ）と判断すると、ステップＳ４６にて、リール又はフレームの頭から再生するか、最初から再生するか、電源が落ちたところから再生するかなどをオペレータに設定させ、ステップＳ４７にて後述の途中再生処理を行う。
【００４８】
図８は途中再生の処理手順を示すフローチャートである。途中再生の処理手順は図９に示すように再生操作装置６から通知された、再生開始位置（時間指定／フレーム指定／リール指定等）、再生（Play）／停止（Stop）／一時停止（Pause)等、コンテンツ情報に応じ、応答Ａｃｋを返しながら、再生ステータス情報などを再生操作装置６に通知しながら行う。
【００４９】
先ず、ステップＳ５１にて、上記通知された情報を基に、リール番号とそのフレーム番号を計算する。ステップＳ５２にて該当するファイルを開き、ステップＳ５３にて上記図４に示したオフセット計算処理を行い、ステップＳ５４にてオフセットだけシークを行う。この後、ステップＳ５５にて上記図５に示した通常再生処理を行う。
【００５０】
なお、図１０には、再生装置３の詳細な構成を示す。入力端子３１には、暗号化されたデジタルシネマパッケージ（Digital Cinema Package：ＤＣＰ）と呼ばれる暗号化コンテンツファイル（Encrypted Contents File）が供給される。暗号化コンテンツは、映像／音声／字幕等からなり、例えばＨＤＤのような情報記憶装置５に記憶されている。もちろん、映像／音声／字幕データは、圧縮されている。特に、映像データは、例えばＪＥＰＥＧ２０００（パート１）の９７ファイルに基づいてエンコードされている。このエンコードは、フレーム間の差分を利用するものではなく、各フレーム内で圧縮処理を行うものである。例えば、１秒間当たり２４フレームで再生される映像データを各フレーム内で圧縮することになる。また、解像度は４ｋ又は２ｋである。
【００５１】
この暗号化コンテンツファイルは、ファイバーチャネルＩ／Ｆ３２によって例えば２０Ｇｂｐｓで受信され、マザーボード（Ｍ／Ｂ）３５に入力される。一方、入力端子３３には、再生操作装置６から暗号化鍵や制御信号が供給される。これら、暗号化鍵や制御信号はギガビットＩ／Ｆによって受信され、マザーボード（Ｍ／Ｂ）３５に入力される。
【００５２】
マザーボード３５は、映像／音声／字幕からなる上記暗号化コンテンツファイルをバスＩ／Ｆにより受け取り、コンテンツ構文処理部に渡す。コンテンツ構文処理部は、コンテンツの構文、例えばＸＭＬ、又はＭＸＦに基づいた構文に従って動画データ、音声データ、字幕ファイルへの分解を行う。このとき、コンテンツ構文処理部は、再生済み映像情報に関する再生情報を抽出、又は生成することもある。また、マザーボード３５には、ローカルメモリや、暗号の復号部（デクリプト）、後述の映像復号処理部３６，音声復号処理部、字幕処理部を制御する信号制御ＣＰＵや、主記憶メモリを収納している。コンテンツ構文処理部で分解された動画データは、デクリプト部にて暗号を解かれたのち、映像復号（デコード）処理部３６に供給される。字幕ファイルは字幕処理部３７に供給される。音声データは図示しない音声復号装置に渡される。
【００５３】
映像復号処理部３６は、例えばＪＥＰＥＧ２０００（パート１）の９７ファイルに基づいて、解像度４ｋ又は２ｋの上記動画データをデコードする。
【００５４】
図１１は、ＪＥＰＥＧ２０００（パート１）の符号化プロセス、復号化プロセスを示す図である。符号化プロセスでは、入力端子４１からの原画像データに対してウェーブレット変換４２が適用され、その後に量子化４３とエントロピー符号化４４が適用されて、圧縮画像データ４５が作成される。復号化プロセスでは、符号化の逆の処理として、蓄積又は伝送された圧縮画像データ４６に対してエントロピー復号化４７が施され、さらに逆量子化４８の後に、ウェーブレット逆変換４９が適用されて出力端子５０から再生画像データが出力される。映像復号処理部３６は、図１１に示した復号化プロセスを行う。
【００５５】
字幕処理部３７は、マザーボード３５のコンテンツ構文処理部によって分離された字幕ファイルを内部の字幕メモリに格納してから、字幕データ、フォントファイルを主記憶メモリに転送し、上映再生の準備が整ったことをマザーボード３５の信号制御ＣＰＵに知らせる。信号制御ＣＰＵは、再生操作装置６にマザーボード３５から上映再生の準備が整ったという知らせがあったことを知らせる。
【００５６】
再生操作装置６は、ギガビットＩ／Ｆ３４を介して、上映開始の制御信号を、再生装置３に送る。すると、映像復号処理部３６は、分離され、暗号が解かれた映像データを上記ＪＰＥＧ２０００に基づいて復号し、映像／字幕合成用のバッファメモリ３８に供給する。この映像／字幕合成処理部３８には、字幕処理部３７の字幕処理プロセッサにて描画処理され、得られた静止画データや文字データも供給される。映像／字幕合成処理部３８は、映像復号処理部３６の出力動画データと上記字幕処理部３７からの静止画データ、文字データとを合成し、映像制御Ｉ／Ｆ３９に送る。映像制御Ｉ／Ｆ３９は、上記静止画データや文字データを合成した出力動画データを表示装置（プロジェクタ）２に送る。表示装置２は、スクリーンに上記出力動画データを表示する。
【００５７】
このとき、再生装置３は、例えば、映像制御Ｉ／Ｆ３９にて、上記再生済み映像情報に関する補助情報を生成し、再生情報記憶装置４に書き込む。また、上述したように、マザーボード３５内のコンテンツ構文処理部によっても上記再生済み映像情報に関する補助情報を抽出、または生成する。もちろん、再生装置３は、内部の他のブロックにて上記補助情報を生成してもよい。
【００５８】
このように本発明の実施の形態のデジタル映像再生装置１は、再生装置３にて、映像情報を再生するときに、再生済み映像情報に関する補助情報を再生情報記憶装置４に記憶しておき、例えば不慮の電源断後の復旧時に、再生情報記憶装置４から再生済み映像情報に関する補助情報を読み出し、読み出した再生済み映像情報に応じてオフセット情報を得、このオフセット情報にしたがって再生再開位置を決定する。したがって、先頭地点や、停止箇所からの再生再開だけでなく、任意の再生箇所からの再生再開を可能とする。
【００５９】
また、デジタル映像再生装置１によれば、再生操作装置６が再生装置３から離れた場所にあれば、遠隔操作が可能となり、再生装置３から離れた場所でも再生再開シーケンスを決定することが可能となる。
【００６０】
また、デジタル映像再生装置１によれば、不慮の電源断のような事故発生時において、即時復帰の可否を選択可能となる。即時復帰しない場合においては、視聴者の要望を考慮した適応的な再生再開を行うことが可能となる。
【００６１】
また、他の実施の形態としては、図１２に示すように、ネットワーク８を経由して再生操作装置６と情報記憶装置５が再生装置３に接続した構成のデジタル映像再生装置７を挙げることもできる。このデジタル映像再生装置７によれば、例えばローカルエリアネットワーク、インターネット等を介した遠隔操作が可能となり、再生装置３から離れた場所でも再生再開シーケンスを決定することが可能となる。
【図面の簡単な説明】
【００６２】
【図１】デジタルシネマシステムのブロック図である。
【図２】リールの概念を示す図である。
【図３】フレームテーブルを示す図である。
【図４】オフセット計算処理のフローチャートである。
【図５】通常再生処理のフローチャートである。
【図６】レジューム再生処理のフローチャートである。
【図７】再開処理のフローチャートである。
【図８】途中再生処理のフローチャートである。
【図９】再生操作装置とデジタル映像再生装置間の制御、データの通信を示す図である。
【図１０】デジタル映像再生装置の構成図である。
【図１１】映像復号化処理部の具体例の構成図である。
【図１２】ネットワークを介したデジタル映像再生装置の構成図である。
【符号の説明】
【００６３】
１  デジタル映像再生装置、２  表示装置（プロジェクタ）、３  再生装置、４  再生情報記憶装置、５  情報記憶装置、６  再生操作装
【図１】
2006311325.tif 000003
【図２】
2006311325.tif 000004
【図３】
2006311325.tif 000005
【図４】
2006311325.tif 000006
【図５】
2006311325.tif 000007
【図６】
2006311325.tif 000008
【図７】
2006311325.tif 000009
【図８】
2006311325.tif 000010
【図９】
2006311325.tif 000011
【図１０】
2006311325.tif 000012
【図１１】
2006311325.tif 000013
【図１２】
2006311325.tif 000014